(57)【要約】【課題】従来例においては、測定した湿度と基準の湿度を単に比較して対象域内の空気を排出するような構成の換気システムであるため、外気湿度を対象域内の湿度から引いた湿度差が予め設定した基準の湿度より高い場合は、高湿度の床下空気を外部に排出する。このこと自体は問題ないものの、予め設定した基準の湿度より低い場合は外気によって床下の湿度を逆に高めることになってしまうという問題があった。【解決手段】本発明は、換気システムにおいて、換気ユニットの作動を無線により遠隔制御し一定時間毎に給気と排気を切り替えて空気の流れを起こすことを特徴とする。【選択図】図１
2013160408.tif 000002
【特許請求の範囲】
【請求項１】
換気ユニットの作動を無線により遠隔制御して、一定時間毎に給気と排気を切り替えて空気の流れを起こすことを特徴とする換気システム。
【請求項２】
換気ユニットと、当該換気ユニットの作動を無線により遠隔制御する集中コントローラユニットとから成る換気システムにおいて、前記換気ユニットは一定時間毎に給気と排気を切り替えて空気の流れを起こすように前記集中コントローラユニットによって制御されることを特徴とする換気システム。
【請求項３】
前記換気ユニットは、室内側フードと、防塵フィルターと、換気ファンと、蓄熱エレメントと、スリーブと、屋外側フードとから成り、当該換気ユニットが取り付けられる外壁の厚さに合わせて前記スリーブの長さが調節されることを特徴とする請求項１記載の換気システム。
【請求項４】
前記換気ユニットは1対または複数対設けられていることを特徴とする請求項１又は２記載の換気システム。
【請求項５】
前記換気ユニットは1個だけ設けられていることを特徴とする請求項１又は２記載の換気システム。
【発明の詳細な説明】
【技術分野】
【０００１】
本発明は、無線換気ユニット及び換気システムに関し、特に、１又は複数の換気ユニットを無線の遠隔操作などで作動させる無線換気ユニット及びそれを用いた換気システムに関する。
【背景技術】
【０００２】
従来、室内や床下などの対象域内における空気の換気を行う換気システムは、室内や床下などに設置した湿度センサで内部湿度を測定し、これを予め設定した湿度と比較して湿度の高い空気を外部に排出するように換気扇を作動させている。
【０００３】
図４（ａ）は本発明の従来例としての床下換気システムの縦断面図であり、図４（ｂ）はその横断面図である。これらの図において、４０１は換気システムの管理を行うためのコントローラユニット、４０２は換気扇４０４に給電して制御する駆動制御部、４０３は湿度センサや温度センサなどを搭載されているセンサユニット、４０５はセンサユニット４０３から送出される検出信号を符号化し駆動制御部２を介してコントローラユニット４０１に送りコントローラユニット４０１からの指令信号を駆動制御部４０２に伝達する通信ケーブル、４０６は駆動制御部４０２に供給するＡＣ１００Ｖの電源コンセント、４０７は換気口である。
【０００４】
以下、図４（ａ）及び図４（b）を参照しながら、上記構成からなる従来例について更に詳しく説明する。図４（ａ）及び図４（ｂ）において、コントローラユニット４０１は、換気扇４０４を運転制御する時間帯を予め設定することができるようになっている。また、コントローラユニット４０１には予め基準となる湿度が設定されており、これと検出した湿度を比較し検出湿度が高い場合には、複数の換気扇４０４を同時に運転するため、運転指令が通信ケーブル４０５を介して駆動制御部４０２に送られる。駆動制御部４０２は、換気扇４０４のモータを駆動するため電源リレースイッチを動作させるようになっている。
また、図４（ｂ）に示すように、換気口４０７から流入した空気は複数の換気扇４０４を通して床下内の湿度の高い空気は排出される。
【０００５】
図５は上述のような従来例における換気扇の構成図であり、図中、５０１は換気扇４０４の本体ケーシング、５０２は本体ケーシング５０１内部に設けられたプラスチック製のファン、５０３はモータ本体、５０４はモータにおけるロータ、５０５はロータ５０４に圧入されたシャフト、５０６はシャフト５０５を支持するベアリング、５０７はモータ本体５０３と反対側に設けられたプラスチック製軸受、５０８はアース設置用のアース線、５０９は電源用リード線、５１０はモータ本体５０３内部のステータ、５１１はステータ５１０に巻回されたコイル、５１２は換気扇４０４の吸込口、５１３は換気扇４０４の吹出口である。
【０００６】
このような構成から成る従来例の換気扇において、ロータ５０４はベアリング５０６により支持され、ファン５０２はプラスチック製軸受５０７に支持されている。また、ファン５０２とプラスチック製軸受５０７は絶縁を徹底するためプラスチックが採用されている。そして、電源用リード線５０９から電圧が印加されると、モータ本体５０３における内部のコイル５１１に電流が流れ、ロータ５０４が回転を開始する。これと同時に、シャフト５０５に固定されたファン５０２も回転を始めて風を起こす。これにより、吸込口５１２から空気が吸入され、吹出口５１３から空気が排出されている。なお、換気扇４０４は家屋の大きさや構造などにより必要に応じて複数個設置され同時に並列運転されるようになっている。
【先行技術文献】
【特許文献】
【０００７】
【特許文献１】特開2004-077065号公報
【発明の概要】
【発明が解決しようとする課題】
【０００８】
しかしながら、上記従来例においては、測定した湿度と基準の湿度を単に比較して対象域内の空気を排出するような構成の換気システムであるため、外気湿度を対象域内の湿度から引いた湿度差が予め設定した基準の湿度より高い場合は、高湿度の床下空気を外部に排出する。このこと自体は問題ないものの、予め設定した基準の湿度より低い場合は外気によって床下の湿度を逆に高めることになってしまうという問題があった。このような問題をそのまま放置すると、換気動作を行わない状態で、長時間に亘って対象域内のよどんだ空気が高温多湿の状態で滞留し、対象域内の設備などを損なうという問題もあった。これらの問題は、室内の対象域内における空気の換気を行う室内用の換気システムにおいても同様に生じていた。
【０００９】
本発明はかかる従来例の問題などに鑑みてなされたものであり、その目的は、対象域内の湿度を適切に制御できるような無線換気ユニット及び換気システムを提供することにある。
【課題を解決するための手段】
【００１０】
上述のような課題を解決する本発明は、換気システムにおいて、換気ユニットの作動を無線により遠隔制御して、一定時間毎に給気と排気を切り替えて空気の流れを起こすことを特徴とする。同様に、本発明は、換気ユニットと、当該換気ユニットの作動を無線により遠隔制御する集中コントローラユニットとから成る換気システムにおいて、一定時間毎に給気と排気を切り替えて空気の流れを起こすように、換気ファンが集中コントローラユニットによって制御されることを特徴とする。
【００１１】
同様に、本発明は、換気ユニットと、当該換気ユニットの作動を無線により遠隔制御する集中コントローラユニットとから成る換気システムにおいて、前記換気ファンは一定時間毎に給気と排気を切り替えて空気の流れを起こするように集中コントローラユニットによって制御されると共に、換気ユニットは、室内側フードと、防塵フィルターと、換気ファンと、蓄熱エレメントと、スリーブと、屋外側フードから成り、その換気ユニットが取り付けられる外壁の厚さに合わせてスリーブの長さが調節されることを特徴とする。
【００１２】
同様に、上述のような課題を解決する本発明は、換気ユニットと、当該換気ユニットの作動を無線により遠隔制御する集中コントローラユニットとから成る換気システムにおいて、前記換気ユニットは一定時間毎に給気と排気を切り替えて空気の流れを起こするように集中コントローラユニットによって制御されると共に、換気ユニットは、室内側フードと、防塵フィルターと、換気ファンと、蓄熱エレメントと、スリーブと、屋外側フードから成り、その換気ユニットが取り付けられる外壁の厚さに合わせてスリーブの長さが調節され、且つ、換気ユニットは1対または複数対設けられていることを特徴とする。
【００１３】
同様に、上述のような課題を解決する本発明は、換気ユニットと、当該換気ユニットの作動を無線により遠隔制御する集中コントローラユニットとから成る換気システムにおいて、前記換気ユニットは一定時間毎に給気と排気を切り替えて空気の流れを起こするように、集中コントローラユニットによって制御されると共に、換気ユニットは、室内側フードと、防塵フィルターと、換気ファンと、蓄熱エレメントと、スリーブと、屋外側フードから成り、換気ユニットが取り付けられる外壁の厚さに合わせてスリーブの長さが調節され、且つ、換気ユニットが1個だけ設けられていることを特徴とする。
【発明の効果】
【００１４】
本発明によれば、内部湿度が外気湿度に比べて高い場合には換気モードの運転を行い、低い場合は淀み防止モードの運転を行うことができる。このため、高湿度の外気を取り込んだり運転停止したりすることなく、対象域内の湿度低減を行う等の最適制御が可能となる。
【００１５】
また、本発明によれば、１対または複数対の換気ユニットを使用する場合に、対象域内の空気を全体的に大きく流動させて淀みを残さず換気できる。更に、対象域内における換気口の位置、換気扇の配置、間切りの状況に応じて最もよどみを解消できるように空気の流れを選択することもできる。
【００１６】
更にまた、本発明によれば、室内の換気ユニットと室外の駆動制御部を専用通信回線で接続したりすることも不要となる。このため、設置工事も簡素化できるうえ、集中コントローラユニットの設置場所に対する制約もなく自由に設置できるという利点もある。
【図面の簡単な説明】
【００１７】
【図１】本発明の実施形態に係わる換気システムの概念を説明するための説明図
【図２】本発明の実施形態に係わる換気システムの使用例を説明するための図
【図３】本発明の実施形態に係わる換気ユニットを説明するための構成断面図
【図４】（ａ）は従来例の縦断面図、（ｂ）は従来例の横断面図
【図５】従来の換気扇の構成図
【発明を実施するための形態】
【００１８】
以下、本発明の実施形態の一例について、図１〜図３参照しながら説明する。なお、本発明は、この実施形態に限定されることなく、特許請求範囲に記載された範囲内で種々の変形が可能である。
【実施例１】
【００１９】
図１は本発明の実施形態に係わる換気システムの概念を説明するための説明図である。この図において、１０２a,１０２bは換気ユニット、１０１は換気ユニット１０２a,１０２bの作動を無線で遠隔制御などを行う集中コントローラユニットである。
【００２０】
また、図２は本発明の実施形態に係わる換気システムの使用例を説明するための図であり、図中、図２（ａ）はその縦断面を示し、図２（b）は横断面を示している。これらの図において、２０１a,２０１bは例えば蓄熱エレメントなどが内蔵されている換気ユニット心臓部、２０２a,２０２bは例えばマグネット式などで着脱可能なように構成されている室内側フード、２０３a,２０３bは雨水などの侵入や結露を防止するための屋外側フード、２０４は換気などが行われる例えば室内のような対象領域、２０５は換気ユニットが取り付けられる例えば壁のような構造体である。
【００２１】
図３は本発明の実施形態に係わる換気ユニットを説明するための構成断面図である。この図において、３０１は多孔質なセラミックに熱と湿気を貯めて熱交換を行う蓄熱エレメント、３０２は一定時間毎に給気と排気を切り替えて空気の流れを起こするための換気ファン、３０３は塵や花粉などの侵入を防ぐように構成されている防塵フィルター、３０４は、例えばマグネット式などで着脱可能なように構成されている室内側フード、３０５は例えば木の葉や雪などが侵入するのを防ぐ屋外側フードである。
【００２２】
以下、図１〜図３を参照しながら、本発明の実施形態の動作について説明する。
先ず、図１において、集中コントローラユニット１０１の駆動スイッチ(図示せず)がオンにされると、集中コントローラユニット１０１の信号送信部１０４から換気ユニット１０２a, １０２bの信号受信部１０６に向けて、それらの換気ユニットを駆動させるための指令信号が送信される。その指令信号を換気ユニット１０２a, １０２bが受信すると、換気ユニット１０２a,１０２bにおけるファン１０５は駆動を開始し、一定時間(例えば７０秒)毎に吸気と排気を切り替え室内や床下などの対象域内における空気の流れを起こすようになる。その際、例えば１０２ａは右方向に、１０２ｂは左方向に回転するなど、集中コントローラユニット１０１の送る指令信号により、二対の換気ユニット１０２ａ、１０２ｂの回転方向を別々にすることができる。これにより、効率的に空気の流れを調整することが可能となる。
【００２３】
次に、図２を参照しながら、対象域内における空気の流れの制御について詳しく説明する。図２において、換気ユニット２０１a, ２０１bは上述のような指令信号に従って駆動するが、通常は、図２の太線矢印のうち、紙面上の右向き矢印方向への換気と左向き矢印方向への換気を一定時間(例えば７０秒)毎に交互に繰り返す。これにより、蓄熱エレメント２０１a,２０１bにおける蓄熱などが偏ることなく効果的に行われるなどの利点がある。
【００２４】
また、屋外側フード２０３aが設置される側の室外が北向きで外気温が比較的低く室外側フード２０３bが設置される側の室外が南向きで外気温が比較的高くなっているような場合には、暖かい空気を室内に導入するため、図２の太線矢印のうち紙面上の右向き矢印方向への換気のみが行われることもある。同様にして、夏場などには涼しい空気を室内に導入するため、図２の太線矢印のうち紙面上の左向き矢印方向への換気のみが行われることもある。
【００２５】
一方、図３において、外気を室内へ導入させる場合、室外側フード３０５を通って換気ユニット内に導入された外気などは蓄熱エレメント３０１で吸熱され、換気ファン３０２内を通過し、防塵フィルター３０３、室内側カバー３０４の隙間を通って、室内へと導かれる。その際、防塵フィルター３０３で外気などに含まれている塵や花粉などは防塵フィルターを通過することにより除去される。
【００２６】
また、室内の空気などが室外へ放出される場合には、室内側カバー３０４の隙間、防塵フィルター３０３、換気ファン３０２内を経由して、室内の空気などが蓄熱エレメント３０１へ導かれて吸熱され、その後、室外側フード３０５を通って室外へと導かれる。
【符号の説明】
【００２７】
１０１  集中コントローラユニット
１０２ａ，１０２ｂ  換気ユニット
１０３  電源及び風量調整キー
１０４  信号送信部
１０５  ファン
１０６  信号受信部
２００a,２００b  換気ユニット
２０１a,２０１b  蓄熱エレメント
２０２a,２０２b  室内側カバー
２０３a,２０３b  屋外側フード
２０４  室内空間
２０５  柱内空間
３０１  蓄熱エレメント
３０２  換気ファン
３０３  防塵フィルター
３０４  屋内側フード
３０５  屋外側フード
４０１  コントローラユニット
４０３  センサユニット
４０４  換気扇
４０７  換気口
５０１  本体ケーシング
５０２  プラスチック製ファン
５０３  モータ本体
５０６  ベアリング
５１２  吸込口
５１３  吹出口
【図１】
2013160408.tif 000003
【図２】
2013160408.tif 000004
【図３】
2013160408.tif 000005
【図４】
2013160408.tif 000006
【図５】
2013160408.tif 000007